【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
収集デバイスであって、該デバイスは、
（ａ）基部であって、該基部は、中心部と、外周と、該基部内に形成された複数の開口部とを有し、該複数の開口部のうちの少なくとも一部分は、該基部の該中心部の付近に配置され、該複数の開口部のうちの少なくとも一部分は、該基部の該外周の付近に配置される、基部と、
（ｂ）複数のコレクターチューブであって、各コレクターチューブは、該基部における該複数の開口部のうちの１つと連絡しており、該複数のコレクターチューブの各々は、曲率半径および長さを有し、該基部の該外周の付近に配置された開口部と連絡しているコレクターチューブは、該基部の該中心部の付近に配置された開口部と連絡しているコレクターチューブよりも大きい曲率半径および長さを有し、その結果、該複数のコレクターチューブの複数の端は、実質的に半球状の内部空洞を協働的に規定し、各コレクターチューブは、該基部の該中心部の実質的に下方に配置された共通の標的領域に向かって該コレクターチューブの中を下降する物体の軌道通路を規定する、複数のコレクターチューブと
を含む、収集デバイス。
【請求項２】
前記基部は、内部の実質的に半球状の空洞を規定することを助けるように、実質的に半球状の形状である、請求項１に記載の収集デバイス。
【請求項３】
計量分配機構の中間収集デバイスが、前記物体が前記コレクターチューブから発射されるとき、該物体を受容するように、前記標的領域の下方に配置可能である、請求項１に記載の収集デバイス。
【請求項４】
前記基部における前記複数の開口部は、同心円のパターンに形成される、請求項１に記載の収集デバイス。
【請求項５】
各チューブは、計量分配デバイスの輸送チューブと連絡しており、前記コレクターチューブと該輸送チューブとの間の密閉通路を規定する、請求項１に記載の収集デバイス。
【請求項６】
各輸送チューブは、複数の物体のうちの１つを輸送するように構成されている、請求項５に記載の収集デバイス。
【請求項７】
前記複数の物体の各々は、１つのタイプの経口固形物である、請求項６に記載の収集デバイス。
【請求項８】
物体が前記コレクターチューブから発射されるときに該物体を検出するセンサーアセンブリーをさらに含む、請求項１に記載の収集デバイス。
【手続補正２】
【補正対象書類名】明細書
【補正対象項目名】０００９
【補正方法】変更
【補正の内容】
【０００９】
本開示の上記の局面および付随する利点の多くは、添付の図面と関連して理解されるとき、以下の詳細な説明を参照することによって、より容易に認識されるようになる。
本発明は、例えば、以下を提供する。
（項目１）
収集デバイスであって、該デバイスは、
（ａ）少なくとも第一の開口部および第二の開口部を有する基部と、
（ｂ）該基部における該少なくとも第一の開口部および第二の開口部と連絡している少なくとも第一のコレクターチューブおよび第二のコレクターチューブであって、該複数のコレクターチューブは、各々、該コレクターチューブの中を、該収集デバイスの下にある共通の標的領域に向かって下降する物体のための軌道通路を規定するように構成された湾曲を有する、少なくとも第一のコレクターチューブおよび第二のコレクターチューブと
を備えている、デバイス。
（項目２）
上記複数のコレクターチューブの端は、上記収集デバイスの実質的に半球状の内部空
洞を規定する、項目１に記載の収集デバイス。
（項目３）
上記実質的に半球状の空洞は、中心を有する標的の球の一部分を規定する、項目２に記載の収集デバイス。
（項目４）
上記標的領域は、上記標的の球の中心の近くに配置される、項目３に記載の収集デバイス。
（項目５）
上記基部における上記複数の開口部は、同心円のパターンに形成される、項目１に記載の収集デバイス。
（項目６）
上記基部は、形状が実質的に半球状で、実質的に半球状の内部空洞を規定する、項目１に記載の収集デバイス。
（項目７）
上記実質的に半球状の空洞は、中心を有する標的の球の一部分を規定する、項目６に記載の収集デバイス。
（項目８）
上記標的領域は、上記標的の球の中心の近くに配置される、項目７に記載の収集デバイス。
（項目９）
複数の輸送チューブを有する計量分配デバイスと共に使用する収集デバイスであって、該収集デバイスは、
（ａ）少なくとも第一の開口部および第二の開口部を有する基部と、
（ｂ）該基部における該少なくとも第一の開口部および第二の開口部と連絡している少なくとも第一のコレクターチューブおよび第二のコレクターチューブであって、該少なくとも第一のコレクターチューブおよび第二のコレクターチューブは、該計量分配デバイスの第一の輸送チューブおよび第二の輸送チューブに連絡して設置されるように構成され、該複数のコレクターチューブは、各々、該輸送チューブの中を、該収集デバイスの下にある共通の標的領域に向かって下降する物体に対して軌道通路を規定するように構成された湾曲を有する、少なくとも第一のコレクターチューブおよび第二のコレクターチューブと
を備えている、収集デバイス。
（項目１０）
上記複数のコレクターチューブの端は、上記収集デバイスの実質的に半球状の内部空洞を規定する、項目９に記載の収集デバイス。
（項目１１）
上記実質的に半球状の空洞は、中心を有する標的の球の一部分を規定する、項目１０に記載の収集デバイス。
（項目１２）
上記標的領域は、上記標的の球の中心の近くに配置される、項目１１に記載の収集デバイス。
（項目１３）
上記基部は、形状が実質的に半球状で、実質的に半球状の内部空洞を規定する、項目９に記載の収集デバイス。
（項目１４）
上記実質的に半球状の空洞は、中心を有する標的の球の一部分を規定する、項目１３に記載の収集デバイス。
（項目１５）
上記標的領域は、上記標的の球の中心の近くに配置される、項目１４に記載の収集デバイス。
（項目１６）
計量分配機構の中間収集デバイスが、上記物体が上記複数のコレクターチューブから発射されるとき、該物体を受容するように、上記標的領域の下に位置決定可能である、項目９に記載の収集デバイス。
（項目１７）
上記基部における上記複数の開口部は、同心円のパターンに形成される、項目９に記載の収集デバイス。
（項目１８）
第一の計量分配チャネルは、第一の物体を計量分配し、第二の計量分配チャネルは、第二の物体を計量分配する、項目９に記載の収集デバイス。
（項目１９）
上記第一の物体および上記第二の物体は、第一のタイプの経口固形物および第二のタイプの経口固形物である、項目１８に記載の収集デバイス。
（項目２０）
物体が上記コレクターチューブから発射される場合に該物体を検出するセンサーアセンブリーをさらに備えている、項目９に記載の収集デバイス。
【手続補正３】
【補正対象書類名】明細書
【補正対象項目名】００１１
【補正方法】変更
【補正の内容】
【００１１】
（詳細な説明）
図１を参照すると、本開示に従って形成されたゼロ相互汚染コレクター１０の好ましい実施形態の等角投影図が描かれる。ゼロ相互汚染コレクター１０は、単一化／計量分配デバイスＤあるいは任意の他の適切なデバイスまたは機械と使用するために構成され、上記デバイスまたは機械は、異なるタイプの物体、例えば、経口固形物（薬物、丸剤、キャンディ、ナッツなど）、経口液体（例えば、液体薬物）、粉末物質（例えば、粉末形態の薬物）など（以下で集合的に「経口固形物」と呼ばれる）を共通エリアの中に、一意的な、個別の経口固形物の輸送経路、チャネル、チューブなど（以下で「経口固形物輸送チューブＴ」と呼ばれる）を通じて、経口固形物を相互汚染することなしに送達する。
【手続補正４】
【補正対象書類名】明細書
【補正対象項目名】００１２
【補正方法】変更
【補正の内容】
【００１２】
共通エリアは、中間収集デバイス、例えば、パッケージング機構（図示せず）、またはろうとＦ、または経口固形物をパッケージング機構に送達する他の適切なデバイスによって供給されるパッケージによって、規定され得る。共通エリアまたは中間収集デバイスは、説明を容易にするために以下で「ろうとＦ」と呼ばれる。ゼロ相互汚染コレクター１０は、計量分配デバイスＤの一意的な、個別の経口固形物輸送チューブＴから経口固形物を受容し、経口固形物をろうとＦの中に送達する。
【手続補正５】
【補正対象書類名】明細書
【補正対象項目名】００１６
【補正方法】変更
【補正の内容】
【００１６】
複数の開口部１８は、上部表面１６から下部表面２０に延びる基部１４の中に形成され、各開口部１８の軸は、実質的に上部表面１６および下部表面２０を横切る。適切な数の開口部１８が、基部１４上の任意の好ましいパターンに配列される。好ましくは、複数の開口部１８は、基部１４上の同心の円形パターンに配列され、基部１４上の同心の円形パターンは、基部１４の中心において形成される単一の開口部１８から始まる。複数の開口部１８は、任意の適切な形状および大きさであり得、対応する計量分配デバイスＤの経口固形物輸送チューブＴに連絡して設置され、種々の経口固形物輸送チューブから種々の薬物を受け入れる（図１参照）。例えば、経口固形物輸送チューブＴは、断面が実質的に円形であり得、計量分配された経口固形物に対して円滑な移動通路を提供する。結果として、複数の開口部１８は、計量分配された経口固形物がろうとＦに向かって下向きに移動するとき、形状が実質的に円形で、複数のチューブの形状に適合し、計量分配された経口固形物に対する円滑で連続的な通路を提供することが好ましくあり得る。
【手続補正６】
【補正対象書類名】明細書
【補正対象項目名】００１７
【補正方法】変更
【補正の内容】
【００１７】
複数の開口部１８は、均一な断面の経口固形物輸送チューブＴと嵌合する均一な界面を提供するように、すべて同一の直径であり得る。代替案において、複数の開口部１８は、多用途性を増し、そして／またはゼロ相互汚染コレクター１０のフットプリントを低減するために、直径がさまざまであり得る。例えば、複数の開口部１８の直径は、基部１４の中心から基部１４の外周に向かって、大きさが徐々に減少し得る。この態様において、より小さい経口固形物輸送チューブＴは、より小さい経口固形物を計量分配するために用いられ得、それによって、ゼロ相互汚染コレクター１０の全体の大きさを低減し、多用途性を増す。
【手続補正７】
【補正対象書類名】明細書
【補正対象項目名】００２０
【補正方法】変更
【補正の内容】
【００２０】
各コレクターチューブ２２は、好ましくは、開口部１８から下向きに延びる垂直部分３０と、垂直部分３０から下向きかつ内向きに延びる湾曲部分２６とを含む。複数のコレクターチューブ２２の複数の垂直部分３０の各々は、複数の開口部１８内に受容されるとき、好ましくは、実質的に垂直に整列され、その結果、複数のコレクターチューブ２２は、特定の経口固形物をろうとＦの中に送達するための計量分配デバイスＤの対応する垂直な複数の経口固形物輸送チューブＴと連絡するように、容易に設置され得る（図１参照）。しかしながら、複数のコレクターチューブ２２は、その代わりに、基部１４から任意の適切な角度で延び得、計量分配デバイスＤの複数の経口固形物輸送チューブＴと嵌合されることが認識されるべきである。
【手続補正８】
【補正対象書類名】明細書
【補正対象項目名】００２１
【補正方法】変更
【補正の内容】
【００２１】
各コレクターチューブ２２は、任意の適切な態様において専用の経口固形物輸送チューブＴの端に連絡して設置されるように構成される。例えば、図１を参照すると、経口固形物輸送チューブＴは、コレクターチューブ２２の垂直部分３０の中に受容され得、それらの間の摩擦ばめを規定する。経口固形物輸送チューブは、コレクターチューブ２２と嵌合され、その結果、下降する経口固形物が捕捉し得る経口固形物輸送チューブＴまたはコレクターチューブ２２によって急な縁が規定されないことが好ましい。より具体的には、コレクターチューブ２２は、好ましくは、経口固形物輸送チューブＴの外径と実質的に等しい内径を有する拡大された端の部分３４を含み、その結果、経口固形物輸送チューブＴが拡大された端の部分３４内に受容されるとき、経口固形物輸送チューブＴの内側表面は、コレクターチューブ２２の内側表面と実質的に同一平面上にある。さらに、拡大された端の部分３４は、経口固形物輸送チューブＴの端が当接して連続的移行表面を規定し得る肩を規定する。
【手続補正９】
【補正対象書類名】図面
【補正対象項目名】全図
【補正方法】変更
【補正の内容】
【図１】
2011507776.tif 000001
【図２】
2011507776.tif 000002
【図３】
2011507776.tif 000003
【図４】
2011507776.tif 000004
【図５】
2011507776.tif 000005
【図６】
2011507776.tif 000006